(57)【要約】      （修正有）【課題】脱酸素剤を商品（食品）に直接触れずにパック内に収納可能にすることで、商品（食品）に対する見た目および衛生面での不快感を無くすことができ、且つ脱酸素剤の外袋が破れても脱酸素乾燥剤が中の商品（食品）に付着するのを未然に防止する脱酸素剤入り商品パックを提供する。【解決手段】パックの内部を、通気性を有する隔離シート４を介して２部屋に区画し、一方の部屋を脱酸素剤の収容部５ａ、他方の部屋を商品Ｐの収容部５ｂとする。パックの表裏いずれの外表面にはガスバリア性を備えたカバー部材２を貼着する。【選択図】図１
0003159618.tif 000002
【実用新案登録請求の範囲】
【請求項１】
パックの内部を、通気性を有する隔離シートを介して２部屋に区画し、一方の部屋を脱酸素剤の収容部、他方の部屋を商品の収容部にそれぞれ形成してなることを特徴とする脱酸素剤入り商品パック。
【請求項２】
パックの表裏いずれの外表面にはガスバリア性を備えたカバー部材を貼着してなる請求項１記載の脱酸素剤入り商品パック。
【考案の詳細な説明】
【技術分野】
【０００１】
本考案は、食品類を湿気ない状態（脱酸素状態）で収納するための脱酸素剤入り商品パックに関する。
【背景技術】
【０００２】
従来、商品である例えば菓子等の種々の食品類は、密封用のパック内に脱酸素剤と一緒に収納される。特に、菓子としての例えばどら焼等は一枚のパックに脱酸素剤と一緒に封入されている。このとき、脱酸素剤は、通気性袋内に脱酸素性乾燥剤が収納されてなり、パック内で菓子と直接接触している。
【先行技術文献】
【特許文献】
【０００３】
【特許文献１】特になし
【考案の概要】
【考案が解決しようとする課題】
【０００４】
しかしながら、従来においては、脱酸素性乾燥剤自体は通気性外袋に収納されているとはいえ、パック内でどら焼等の菓子と直接接触しているために、見た目からしても、あるいは衛生面からしても、あまり気持ちの良いものではない。特に、どら焼き等の菓子（生菓子）自体は生地の柔らかさからして、脱酸素剤が生地表面に食い込み状に付着し易い状態となっている。その上、脱酸素剤の通気性外袋が破れて、袋中にある脱酸素性乾燥剤が菓子に付着する等の虞もある。
【０００５】
そこで、本考案は、叙上のような従来存した諸事情に鑑み創出されたもので、脱酸素剤を商品（食品）に直接触れずにパック内に収納可能にすることで、商品（食品）に対する見た目および衛生面での不快感を無くすことができ、且つ脱酸素剤の通気性外袋が破れても中の脱酸素性乾燥剤が商品（食品）に付着するのを未然に防ぐことができる脱酸素剤入り商品パックを提供することを目的とする。
【課題を解決するための手段】
【０００６】
上述した課題を解決するために、本考案にあっては、パックの内部を、通気性を有する隔離シートを介して２部屋に区画し、一方の部屋を脱酸素剤の収容部、他方の部屋を商品の収容部にそれぞれ形成してなることを特徴とする。
【０００７】
そして、パックの表裏いずれの外表面にはガスバリア性を備えたカバー部材を貼着して成る。
【０００８】
以上のように構成された本考案に係る脱酸素剤入り商品パックにあって、パックの内部を２部屋に区画する通気性を有する隔離シートを介して、一方の部屋を脱酸素剤の収容部とし、且つ他方の部屋を商品の収容部とすることで、商品に対し脱酸素剤の直接の接触を阻止しながら商品自体の脱酸素状態を維持可能にさせる。
【考案の効果】
【０００９】
本考案によれば、脱酸素剤を商品（食品）に直接触れずにパック内に収納可能にすることで、商品（食品）に対する見た目および衛生面での不快感を無くすことができ、また脱酸素剤の通気性外袋が破れても中の脱酸素性乾燥剤が商品（食品）に付着するのを未然に防ぐことができる。
【００１０】
すなわち、パックの内部を、通気性を有する隔離シートを介して２部屋に区画形成してなるので、脱酸素剤を商品（食品）に直接触れずにパック内に収納することができ、商品（食品）に対する見た目および衛生面での不快感を無くすことができる。しかも、隔離シートの通気性により、脱酸素剤の有する脱酸素効果は常時保持されるものとなる。
【００１１】
また、通気性を有する隔離シートは、一方の部屋を脱酸素剤の収容部、他方の部屋を商品の収容部にそれぞれ区画するものとしたので、商品に対し脱酸素剤の直接の接触を阻止しながら商品自体の脱酸素状態を常時維持することができる。また、脱酸素剤の通気性外袋が万が一破れて中の脱酸素性乾燥剤が漏出しても、隔離シートの存在により、脱酸素性乾燥剤が商品（食品）に付着するのを未然に防ぐことができる。
【００１２】
さらに、パックの表裏いずれの外表面にはガスバリア性を備えたカバー部材を貼着して成るので、外部からの湿気を常時遮断することができ、これによって商品の品質低下を未然に防止することができる。しかも、必要に応じてカバー部材の表面に様々なデザインを印刷することで、例えば和菓子等としての意匠的価値観を付与することができる。
【図面の簡単な説明】
【００１３】
【図１】本考案を実施するための一形態を示す一部切欠斜視図である。
【図２】同じく断面図である。
【考案を実施するための形態】
【００１４】
以下、図面を参照して本考案に係る脱酸素剤入り商品パックの実施の一形態を詳細に説明する。
【００１５】
本考案に係る脱酸素剤入り商品パックは、図１に示すように、商品Ｐとして例えばどら焼等の生菓子やその他の種々の食品類を収納するための、例えば透明プラスチック製シート材等を使用した矩形袋状の密封用のパック本体１によって形成されている。
【００１６】
このパック本体１は、表裏いずれの外表面にガスバリア性を備えた例えば和紙等によるカバー部材２が貼着され、また必要に応じてカバー部材２の表面には様々なデザインによる印刷面部３が施されている。
【００１７】
図１および図２に示すように、パック本体１の内部は、中央の通気性を有する隔離シート（中紙）４を介して前後２部屋に仕切られていて、一方の部屋は脱酸素剤Ｑ（通気性外袋内に脱酸素性乾燥剤が封入されてなる）の収容部５ａとなり、他方の部屋は商品Ｐの収容部５ｂとなって互いに区画分離されている。
【００１８】
そして、パック本体１の端部は、隔離シート（中紙）４を介しての両収容部５ａ、５ｂと共に予め開封されており、脱酸素剤Ｑおよび商品Ｐが収容部５ａ、５ｂそれぞれに収納された後は、パック本体１の端部を隔離シート（中紙）４の端部を含めて例えば加熱融着によるシール加工等で封止される。
【００１９】
隔離シート（中紙）４としては、複数のパンチング孔４ａを穿設した和紙を使用している。このパンチング孔４ａは、脱酸素剤Ｑの通気性外袋内に封入されている脱酸素性乾燥剤自体が通過できない程度の大きさの内径を有している。
【００２０】
尚、隔離シート４の他例として、例えば和紙を糸状に縒ったものを縦横格子状に交互に編み込むことで自体に通気性を付与してなる編成シートを使用したり、あるいは、和紙以外の通気性を備えた合成樹脂製シート材等を使用したりしても良い。
【００２１】
次に、以上のように構成された形態についての使用の一例について説明すると、先ず、パック本体１の端部は両収容部５ａ、５ｂと共に予め開封されている。
【００２２】
図１および図２に示すように、脱酸素剤Ｑを収容部５ａに収納し、同時に商品Ｐを収容部５ｂに収納する。そして、パック本体１の端部を隔離シート（中紙）４の端部を含めて例えば加熱融着によるシール加工等で封止する。
【００２３】
これにより、両収容部５ａ、５ｂは互いに隔離した状態で密封されるのであるが、隔離シート４自体は通気性を備えていることから、収容部５ａ内の脱酸素剤Ｑによって収容部５ｂ内の商品Ｐが脱酸素状態に常時保持されることとなる。
【００２４】
このように、脱酸素剤Ｑを商品Ｐに直接触れずにパック本体１内に収納することができ、商品Ｐに対する見た目および衛生面での不快感を無くすことができるのである。
【符号の説明】
【００２５】
Ｐ    商品（食品）
Ｑ    脱酸素剤
１    パック本体
２    カバー部材
３    印刷面部
４    隔離シート（中紙）
４ａ  パンチング孔
５ａ  脱酸素剤の収容部
５ｂ  商品の収容部
【図１】
0003159618.tif 000003
【図２】
0003159618.tif 000004